(57)【要約】【課題】比較的少量の不測の排尿が予想されるときに装着して就業や外出をすることができる、装脱が容易で軽便であると共に、装着感や脱落の危険を可及的に改善した男性用の尿漏れ防止具を提供する。【解決手段】透水内皮と遮水外皮との間に吸水コアを封入したシート材で形成されて、底辺１ａ及び側辺一方１０を水封辺とし上辺１ｂ及び側辺他方１ｃを開放辺とした袋主体１と、柔軟で透水性を有するシート材で形成されて前記袋主体の開放側辺から延在する巻包面３と、当該巻包面の内面先端と袋主体の外方の面とを止着する止着片８とを備えているものである。実用上好ましい構造は、柔軟で透水性を備えた包シートを袋本体１を包むように添設し、この包シートを袋本体１の開放側辺１ｃから延在させて、当該延在部を巻包面３とする構造である。【選択図】      図１
2004267361.tif 000002
【特許請求の範囲】
【請求項１】
透水内皮（２Ｂ）と遮水外皮（２ａ）との間に吸水コア（５）を封入したシート材で形成されて、底辺（１ａ）及び側辺一方（１０）を水封辺とし上辺（１ｂ）及び側辺他方（１ｃ）を開放辺とした袋主体（１）と、柔軟で透水性を有するシート材で形成されて前記袋主体の開放側辺から延在する巻包面（３）と、当該巻包面の内面先端と袋主体の外方の面とを止着する止着片（８）とを備えている、尿漏れ防止具。
【請求項２】
前記巻包面（３）が、前記袋主体（１）の両開放側辺（１ｃ）から延設しており、その２枚の巻包面の底辺相互が連結されている、請求項１記載の尿漏れ防止具。
【請求項３】
巻包面の底辺（３ａ）が袋本体の底辺（１ａ）に対して傾斜している、請求項２記載の尿漏れ防止具。
【発明の詳細な説明】
【０００１】
【発明が属する技術分野】
この発明は、男性用の尿漏れ防止具に関するもので、装脱が容易で、かつ日常動作に支障を来さないようにした尿漏れ防止具に関するものである。
【０００２】
【従来の技術】
男性は加齢に伴って膀胱の直下にある前立腺が肥大してくるのが一般的で、肥大の程度が大きくなると、膀胱や尿道が圧迫されて残尿、尿漏れ、排尿障害などの好ましくない症状が現れ、日常生活中の予期しないときに、比較的少量の尿の排出現象が起こることがある。前立腺肥大は、重度のものを除き、排尿に関する問題以外は日常生活や日常動作に特に問題を生じないので、通常人と同様に就業や日常生活ができるにもかかわらず、予期しない排尿現象が自分自身や周囲に与える悪影響のために、疾患の実情以上に精神的負担が大きく、消極的になったり、満足な社会生活が送れなくなったりする問題が多く発生する。
【０００３】
現在は、幼児用及び成人用のおむつとして使用される高い吸水性能を備えた吸水シートが開発されており、この吸水シートを袋状にした男性用の尿漏れ防止具も提案されている。
【０００４】
【特許文献１】
特開平１１−２２６０４３号公報
【０００５】
【発明が解決しようとする課題】
おむつは、尿漏れ防止機能を備えているが、装脱が面倒で嵩張るので、前立腺肥大等の疾患による比較的少量の尿漏れを防止する用具としては、不適当である。吸水シートで袋を形成して、その中に陰茎を挿入して装着するようにしたものは、おむつに比べて装脱がはるかに容易で、日常動作を妨げることが少ない。特に、前記特許文献１のものは、製造が容易で安価に提供することができ、装着性にも優れている。
【０００６】
しかし、従来のこの種尿漏れ防止具は、起立動作や歩行動作が困難な人に、おむつと共に使用することをも考慮した構造となっており、比較的多量の尿を吸収することができ、介護者が装着するときの利便性も備えているという長所があるが、就業時や外出先でも素早く装脱することができ、予備のものを携帯しても嵩張らず、日常動作中に脱落する危険がないという機能を充分に達成するには至っていない。
【０００７】
そこで、この発明は、例えば典型的には前立腺肥大に起因して生ずることがある、比較的少量の不測の排尿が予想されるときに装着して就業や外出をすることができる、装脱が容易で軽便であると共に、装着感や脱落の危険を可及的に改善した男性用の尿漏れ防止具を提供することを課題としている。
【０００８】
【課題を解決するための手段】
上記課題を解決した本願請求項１の発明に係る尿漏れ防止具は、透水内皮２ｂと遮水外皮２ａとの間に吸水コア５を封入したシート材で形成されて、底辺１ａ及び側辺一方１０を水封辺とし上辺１ｂ及び側辺他方１ｃを開放辺とした袋主体１と、柔軟で透水性を有するシート材で形成されて前記袋主体の開放側辺から延在する巻包面３と、当該巻包面の内面先端と袋主体の外方の面とを止着する止着片８とを備えているものである。
【０００９】
本願請求項２の発明は、上記の請求項１記載の尿漏れ防止具において、巻包面３が、袋主体１の両開放側辺１ｃから延設しており、その２枚の巻包面の底辺相互が連結されていることを特徴とするものである。
【００１０】
また本願請求項３の発明は、上記の請求項２記載の尿漏れ防止具において、巻包面の底辺３ａが袋本体の底辺１ａに対して傾斜していることを特徴とするものである。
【００１１】
実用上好ましい構造は、柔軟で透水性を備えた包シート４を袋本体１を包むように添設し、この包シートを袋本体１の開放側辺１ｃから延在させて、当該延在部を巻包面３とする構造である。
【００１２】
包シート４、すなわち巻包面３の素材としては、柔軟で肌触りの良い薄い不織布が特に適している。袋主体の水封底辺１ａと水封側辺１０とは、一方を折曲げ辺とし、他方を吸水シートの遮水外皮相互を熱溶着する構造が実用的である。この場合、側辺を折曲げ辺とすれば、切断辺となる底辺の吸水シート内に吸水材や消臭剤を追加的に封入することができる。止着片８としては、面ファスナを用いるのが好ましい。また、袋主体１の上辺部内側に、摩擦係数の大きな薄いシート、例えばアスレチックテープ用のアンダーテープからなる細帯片状の滑止片７を取付けることにより、脱落防止性能を向上させることができる。
【００１３】
上記構造の尿漏れ防止具は、開放側辺１ｃを手前側にし、開放側辺１ｃと上辺１ｂとを開いて袋主体１に陰茎を挿入し、挿入した陰茎の手前側で袋主体１の開放側辺部を打ち合わせ、外側となる側辺１ｃから延びる巻包面３Ｌを袋主体１に更に巻き付けるようにして、その先端を止着片８で止着することにより、装着される。
【００１４】
巻包面３は、袋主体の開放側辺の２つの辺縁に共に設けるのが好ましい。この場合には、止着片を設けていない側の巻包面３Ｒを、挿入された陰茎の側方に巻き付けるように、袋主体１の内側へ挿し込んだ後、止着片８を設けた側の巻包面３Ｌを重ね合せるように巻き付けて止着する。この構造は、尿漏れ防止具の装着状態が安定し、脱落の危険がより低減する。
【００１５】
更に２枚の巻包面３Ｌ、３Ｒの底辺を袋主体１の水封底辺１ａに対して斜めにして連結した構造は、上記の態様で尿漏れ防止具を装着したとき、巻き付けた巻包面３に引かれて袋主体の開放側辺の底部側が相互に密着する状態となり、装着状態が安定すると共に、尿漏れ防止性能も向上する。
【００１６】
【発明の実施の形態】
以下、図面を参照して、この発明の尿漏れ防止具の実施形態を説明する。図３は、袋主体１の底辺１ａ及び巻包面３Ｌ、３Ｒの底辺３ａを切り開いて展開したものを内側から見た平面図で、図４は、シート状素材の積層状態を素材相互を離間させて示した斜視図である。図３、４において、５は、袋主体１の内側面（図４の上方の面）となる透水内皮２ｂと外側面となる遮水外皮２ａとの間に高い吸水性を付与した脱脂綿、紙パルプ、アクリル系ポリマーなどの吸水コアを挟み込んだ吸水シートで、紙おむつの素材として用いられているシートを矩形に切断したものを用いている。４は包みシートで、柔軟で透水性に優れた薄い不織布製で、袋主体１と重ね合わせたときに、その両側辺から延在する巻包面３Ｌ、３Ｒを備え、かつその巻包面の底辺３ａが斜めに切断された形状としてある。この不織布製包みシート４は、底辺を熱溶着する関係で、熱溶融繊維からなる不織布を用いている。
【００１７】
７はアスレチックテープのアンダーテープを細く切断した滑止片で、袋主体１の内側上辺部に縫着されている。８は面ファスナシート（止着片）で、不織布からなる包みシート４の巻包面の一方３Ｌの上辺外側隅内面に貼着されている。９はシート状の消臭・吸水材で、袋主体１の底辺となる部分に挿入して、吸水量の増加と消臭性能の向上を図っている。滑止片７、袋主体１及び包みシート４は、袋主体１の四辺を縫着することによって袋主体１に一体化されている。以上のようなシート状素材の重合体をその中央の折線（水封側辺）１０（図３）で２つ折にし、当該２つ折れにすることによって重ね合わされる袋主体１の底辺１ａと巻包面３の底辺３ａとを熱溶着することにより、図１、２に示す尿漏れ防止具１２が形成される。
【００１８】
得られた尿漏れ防止具１２は、偏平な形状であるので、図５に示すように、遮水性のフィルムで形成した封筒容器１１に入れて携帯することができ、かつ使用したものをこの封筒容器１１に入れて廃棄することができる。使用するときは、封筒容器１１から取り出し、袋主体の開放上辺１ｂ及び開放側辺１ｃを開き、当該開放側辺を装着者の手前側にして袋主体１内に陰茎を挿入する。そして、止着片８を設けてない側の巻包面３Ｒを陰茎に巻き付けるように袋主体の内側に差込み、反対側の開放側縁から延びている巻包面３Ｌを袋主体１に重ね合せるように巻き付けて、その端部を止着片８で袋本体の外側の包シートの外面に止着する。
【００１９】
以上の操作で尿漏れ防止具は、図２に示すような形状となって陰茎を包み込むように装着され、袋主体１の内側に挿し込まれた巻包面一方３Ｒと滑止片７が装着時の脱落を有効に防止する。下穿きとしてブリーフを着用しているときは、装着した尿漏れ防止具１２が脱落するおそれはないが、トランクスの場合には、脱落する危険があるので、図５に示すように、内面内股部分にポケット１３を形成して、尿漏れ防止具を装着した状態でこのポケットに挿入するようにすれば、一層安心である。
【００２０】
図の実施例は、本願の発明者が種々の形状及び構造のものを試作した中で、携帯性、装着感及び装脱操作に最も優れたものを示したものであるが、機能と製造コストとの関係で、素材の材質や形状の変更、水封辺を接着辺や縫着辺とする変形、吸水性や漏れ防止性能を更に向上させるために底辺部分に付加的な吸水シートを取付ける構造、滑止片７や消臭・吸水材９を省略する構造等が可能である。
【００２１】
【発明の効果】
上記のこの発明により、就業時や外出先においても簡単にかつ素早く装脱ができ、予備のものを携帯するにも便利で、日常動作に支障を生ずることなく装着することが可能で、装着することによって精神的な安心感が得られる尿漏れ防止具を提供することができるという効果がある。
【図面の簡単な説明】
【図１】本願発明の一実施例の装着直前の状態を示す斜視図
【図２】装着したときの形状を示す斜視図
【図３】底辺を切り開いて示す展開図
【図４】展開状態で積層されているシート相互の関係を離間して示す斜視図
【図５】携帯時の封筒容器と本体とを示す模式図
【図６】この出願の尿漏れ防止具と併用するトランクスを示す説明図
【符号の説明】
１ａ  底辺
１ｃ  開放側辺
３  巻包面
５  吸水シート
８  面ファスナシート
１０  折線
【図１】
2004267361.tif 000003
【図２】
2004267361.tif 000004
【図３】
2004267361.tif 000005
【図４】
2004267361.tif 000006
【図５】
2004267361.tif 000007
【図６】
2004267361.tif 000008